【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
バレルと、ハンドルと、バレルをハンドルに結合するテーパ部と、を具備するボールバットであって、
テーパ部に隣接し、少なくとも１つの固体界面剪断制御領域を具備する、バレル内の第１領域と、
バレルの自由端に隣接し、少なくとも１つの固体界面剪断制御領域を具備する、バレル内の第２領域と、
第１領域と第２領域との間で、第１領域及び第２領域の少なくとも１つよりも、少なくとも１つ少ない固体界面剪断制御領域を具備する、バレル内の第３領域と、を備えており、
バレル内の固体界面剪断制御領域の少なくとも１つが、結合阻害層を備えていることを特徴とするボールバット。
【請求項２】
第１領域及び第２領域の少なくとも１つが、第３領域内の少なくとも１つの界面剪断制御領域と連続する少なくとも１つの界面制御領域を具備している、請求項１に記載のボールバット。
【請求項３】
第１領域及び第２領域の少なくとも１つが、第３領域内の少なくとも１つの界面剪断制御領域に不連続な少なくとも１つの界面剪断制御領域を具備している、請求項１に記載のボールバット。
【請求項４】
バレル内の界面剪断制御領域の少なくとも１つが、エラストマー層を備えている、請求項１に記載のボールバット。
【請求項５】
バレルが、実質的に均一な厚みを有しており、
第３領域が、実質的にバレルの半径方向中点に位置した単一の界面剪断制御領域を具備している、請求項１に記載のボールバット。
【請求項６】
バレルが、実質的に均一な厚みを有しており、
第１領域が、実質的にバレル厚みの三分の一及び三分の二の地点に位置した２つの界面剪断制御領域を具備している、請求項１に記載のボールバット。
【請求項７】
バレルが、ガラス、グラファイト、ホウ素、カーボン、アラミド、及びセラミックからなる群から選択される少なくとも１つの複合材料を備えている、請求項１に記載のボールバット。
【請求項８】
バレルが、一体型多数壁バレル構造を得るために、界面剪断制御領域と共に成形された複数のプライを備えている、請求項１に記載のボールバット。
【請求項９】
バレルが、金属の外層又は内層と、対応する複合材料の内層又は外層と、を備えており、
界面剪断制御領域の少なくとも１つが、複合材料の層内に設置される、請求項１に記載のボールバット。
【請求項１０】
第１領域が、第２領域より、少なくとも１つ多くの界面制御領域を具備している、請求項１に記載のボールバット。
【請求項１１】
ハンドル及びテーパ部の少なくとも１つの中に、少なくとも１つの界面剪断制御領域を更に備えている、請求項１に記載のボールバット。
【請求項１２】
ハンドル内の少なくとも１つの界面剪断制御領域が、テーパ部に隣接して設置されている、請求項１１に記載のボールバット。
【請求項１３】
バレル内の第１領域が、ボールバットのテーパ部内にまで延びている、請求項１に記載のボールバット。
【請求項１４】
バレルと、ハンドルと、バレルをハンドルに結合するテーパ部と、を具備するボールバットであって、
テーパ部に隣接する、バレル内の第１領域と、
バレルの自由端に隣接する、バレル内の第２領域と、
第１領域と第２領域との間で、バレルのスイートスポットを具備する、バレル内の第３領域と、を備えており、
第２領域及び第３領域のそれぞれが、少なくとも１つの非気体状の界面剪断制御領域を具備しており、
第１領域が、第３領域より、少なくとも１つ多くの非気体状の界面剪断制御領域を具備していることを特徴とする、ボールバット。
【請求項１５】
第２領域が、第３領域より、少なくとも１つ多くの界面剪断制御領域を具備している、請求項１４に記載のボールバット。
【請求項１６】
第１領域が、第２領域より、少なくとも１つ多くの界面剪断制御領域を具備している、請求項１４に記載のボールバット。
【請求項１７】
第１領域及び第２領域の少なくとも１つが、第３領域内の少なくとも１つの界面剪断制御領域に連続する、少なくとも１つの界面剪断制御領域を、具備している、請求項１４に記載のボールバット。
【請求項１８】
第１領域及び第２領域の少なくとも１つが、第３領域内の少なくとも１つの界面剪断制御領域に不連続である、少なくとも１つの界面剪断制御領域を、具備している、請求項１４に記載のボールバット。
【請求項１９】
ハンドル及びテーパ部の少なくとも１つの中に、少なくとも１つの界面剪断制御領域を更に備えている、請求項１４に記載のボールバット。
【請求項２０】
ハンドル内の少なくとも１つの界面剪断制御領域が、テーパ部に隣接して設置されている、請求項１９に記載のボールバット。
【請求項２１】
バレル内の第１領域が、ボールバットのテーパ部内にまで延びている、請求項１４に記載のボールバット。
【請求項２２】
バレルと、ハンドルと、バレルをハンドルに結合するテーパ部と、を具備するボールバットであって、
テーパ部に隣接する、バレル内の第１領域と、
バレルの自由端に隣接する、バレル内の第２領域と、
第１領域と第２領域との間の、バレル内の第３領域と、を備えており、
第１領域及び第２領域の少なくとも１つが、少なくとも２つの非気体状の界面剪断制御領域を具備しており、
第３領域が、少なくとも１つの非気体状の界面剪断制御領域を具備していることを特徴とする、ボールバット。
【請求項２３】
第１領域及び第２領域の少なくとも１つが、少なくとも２つの界面剪断制御領域を介して、少なくとも３つの実質的に等しい厚みのバレル壁に分割されており、
第３領域が、少なくとも１つの界面剪断制御領域を介して、少なくとも２つの実質的に等しい厚みの壁に分割されている、請求項２２に記載のボールバット。
【請求項２４】
バレル内の第１領域が、ボールバットのテーパ部内にまで延びている、請求項２２に記載のボールバット。
【請求項２５】
バレルと、
少なくとも１つの複合材料の複数の層を備えているハンドルと、
ハンドル内の複合材料の少なくとも２つの層を分離している、少なくとも１つの非気体状の界面剪断制御領域と、
バレルをハンドルに結合するテーパ部と、を備えていることを特徴とするボールバット。
【請求項２６】
バレルと、ハンドルと、バレルをハンドルに結合するテーパ部と、を具備するボールバットであって、
テーパ部に隣接し、複数の層を備えている、バレル内の第１領域と、
バレルの自由端に隣接し、複数の層を備えている、バレル内の第２領域と、
第１領域と第２領域との間で、複数の層を備えている、バレル内の第３領域と、
第１領域、第３領域、及び第２領域を横断する連続した界面剪断制御領域と、を備えており、
連続した界面剪断制御領域が、第１領域、第３領域、及び第２領域の少なくとも１つの中の複数の層と、交差していることを特徴とする、ボールバット。
【請求項２７】
連続したＩＳＣＺが、第１領域、第３領域、及び第２領域のうちの少なくとも２つの間で、段差が付けられている、請求項２６に記載のボールバット。
【請求項２８】
バレル内の第１領域が、ボールバットのテーパ部内にまで延びている、請求項２６に記載のボールバット。
【請求項２９】
第１材料を備えているバレルと、
第２材料を備えているハンドルと、
バレルをハンドルに結合する遷移部と、を備えており、
遷移部の少なくとも一部が、第１材料及び第２材料と異なる第３材料を備えており、第３材料が、第１材料及び第２材料よりも低い軸方向剛性を、有していることを特徴とする、ボールバット。
【請求項３０】
第１材料と第２材料とが、同じ材料からなっている、請求項２９に記載のボールバット。
【請求項３１】
第３材料が、繊維ガラスを備えている、請求項２９に記載のボールバット。
【請求項３２】
繊維ガラス材料が、複数のプライとして具現化され、プライのそれぞれが、少なくとも、実質的に、ボールバットの長手方向軸から１０から２０度の角度で配向されている、請求項３１に記載のボールバット。
【請求項３３】
第３材料が、ボールバットのハンドルの少なくとも一部にまで延びている、請求項２９に記載のボールバット。
【請求項３４】
第３材料内に埋め込まれた第４材料を更に備えており、
第４材料が、エラストマーゴム、エラストマーウレタン、及びエラストマー発泡体のうちの少なくとも１つからなっている、請求項２９に記載のボールバット。
【請求項３５】
バレルが、バレルの閉塞端に隣接する第４材料を更に備えており、
第４材料が、第１材料よりも低い軸方向剛性を有している、請求項２９に記載のボールバット。
【請求項３６】
第３材料と第４材料とが、同じ材料からなっている、請求項３５に記載のボールバット。
【請求項３７】
第３材料が、グラファイト、アラミド、ＰＢＯ、及びＵＨＭＷＰＥからなる群から選択された少なくとも１つの材料からなっている、請求項２９に記載のボールバット。
【請求項３８】
第３材料が、第１材料及び第２材料の少なくとも１つの軸方向ヤング率の３０％から７０％の軸方向ヤング率を有している、請求項２９に記載のボールバット。
【請求項３９】
第３材料が、第１材料及び第２材料の少なくとも１つの軸方向ヤング率の４０％から６０％の軸方向ヤング率を有している、請求項２９に記載のボールバット。
【請求項４０】
第３材料が、４から６ｍｓｉの軸方向ヤング率を有している、請求項３９に記載のボールバット。
【請求項４１】
第１材料を備えている第１領域と、
第２材料を備えている第２領域と、
第１領域を第２領域に結合する第３領域と、を備えており、
第３領域が、第１材料及び第２材料と異なった第３材料を備えており、
第３材料が、第１材料及び第２材料よりも低い軸方向ヤング率を有していることを特徴とする、ボールバット。
【請求項４２】
第３領域が、ボールバットのハンドルと、バレルと、の間のボールバットのセクション内に設置されている、請求項４１に記載のボールバット。
【請求項４３】
第３材料が、ボールバットのハンドルの少なくとも一部内にまで延びている、請求項４１に記載のボールバット。
【請求項４４】
第３材料が、ボールバットのテーパ部に隣接するボールバットのバレルの一部内に設置されている、請求項４１に記載のボールバット。
【請求項４５】
第３材料が、ボールバットのテーパ部の少なくとも一部内にまで延びている、請求項４４に記載のボールバット。
【請求項４６】
第３材料が、第１材料及び第２材料のうちの少なくとも１つの軸方向ヤング率の４０から６０％の軸方向ヤング率を有している、請求項４１に記載のボールバット。
【請求項４７】
バレルと、ハンドルと、バレルをハンドルに結合するテーパ部と、を具備するボールバットであって、
テーパ部に隣接し、第１半径方向剛性を有している、バレル内の第１領域と、
バレルの自由端に隣接し、第１半径方向剛性より大きい第２半径方向剛性を有している、バレル内の第２領域と、
第１領域と第２領域との間で、第２半径方向剛性よりも大きい第３半径方向剛性を有している、バレル内の第３領域と、を備えていることを特徴とする、ボールバット。
【請求項４８】
第１領域、第２領域、及び第３領域の全てが同じ材料を具備しており、
材料のプライが、第１領域、第２領域、及び第３領域のそれぞれの中で、バットの長手方向軸に対して異なる角度で配向されており、
第１領域、第２領域、及び第３領域のそれぞれの中の、バレルの軸方向剛性が異なる、請求項４７に記載のボールバット。
【請求項４９】
第１領域内のプライが、第２領域内のプライよりも、バットの長手方向軸から少ない角度で配向されており、
第２領域内のプライが、第３領域内のプライよりも、バットの長手方向軸から少ない角度で配向されている、請求項４８に記載のボールバット。
【請求項５０】
少なくとも１つのバレル壁の厚みが、第３領域内よりも第１領域内において薄い、請求項４７に記載のボールバット。
【請求項５１】
少なくとも１つのバレル壁の厚みが、第３領域内よりも第２領域内において薄い、請求項５０に記載のボールバット。
【請求項５２】
第１半径方向剛性が、１インチあたり１０００ポンド以下であり、
第２半径方向剛性が、１インチあたり２０００ポンド以下である、請求項４７に記載のボールバット。
【請求項５３】
第３半径方向剛性が、第１半径方向剛性よりも少なくとも三倍大きい、請求項４７に記載のボールバット。
【請求項５４】
第３半径方向剛性が、第２半径方向剛性よりも少なくとも１．５倍大きい、請求項４７に記載のボールバット。
【請求項５５】
異なる半径方向剛性特性を有する異なる材料が、第１領域、第２領域、及び第３領域のうちの少なくとも２つの中に設置されている、請求項４７に記載のボールバット。
【請求項５６】
バレルが、ガラス、グラファイト、ホウ素、カーボン、アラミド、及びセラミックからなる群から選択された少なくとも１つの複合材料を備えている、請求項４７に記載のボールバット。
【請求項５７】
バレル内の第１領域が、ボールバットのテーパ部内にまで延びている、請求項４７に記載のボールバット。
【請求項５８】
バレルと、ハンドルと、バレルをハンドルに結合するテーパ部と、を具備するボールバットであって、
テーパ部に隣接し、第１半径方向剛性を有している、バレル内の第１領域と、
バレルの自由端に隣接し、第２半径方向剛性を有している、バレル内の第２領域と、
第１領域と第２領域との間で、バレルのスイートスポットを具備しており、第３半径方向剛性を有している、バレル内の第３領域と、を備えており、
第３半径方向剛性が、第２半径方向剛性よりも少なくとも１．５倍大きく、第１半径方向剛性よりも少なくとも三倍大きいことを特徴とする、ボールバット。
【請求項５９】
第２半径方向剛性が、第１半径方向剛性よりも少なくとも二倍大きい、請求項５８に記載のボールバット。
【請求項６０】
第１構造材料を備えているハンドルと、
第２構造材料を備えているバレルと、
バレルをハンドルに接続する遷移部と、を備えており、
遷移部の少なくとも一部が、第３構造材料を有する半径方向内側領域と、
第１構造材料、第２構造材料、及び第３構造材料のうちの少なくとも１つの軸方向弾性率よりも低い軸方向弾性率を有している緩衝材料を備えている半径方向最外側領域と、を具備していることを特徴とする、ボールバット。
【請求項６１】
緩衝材料が、粘弾性材料及びエラストマー材料のうちの少なくとも１つを備えている、請求項６０に記載のボールバット。
【請求項６２】
半径方向外側領域が、０．０６０から０．２５０インチの深さを有している、請求項６０に記載のボールバット。
【請求項６３】
半径方向外側領域が、０．０８０から０．１２０インチの深さを有している、請求項６０に記載のボールバット。
【請求項６４】
緩衝材料を具備しているボールバットの長手方向領域が、ボールバットの長手方向近隣領域の軸方向剛性の３０％から７０％の軸方向剛性を有している、請求項６０に記載のボールバット。
【請求項６５】
半径方向外側領域の深さが、半径方向内側領域の厚みの８０％から１２０％である、請求項６０に記載のボールバット。
【請求項６６】
半径方向内側領域の外径が、ボールバット内の長手方向近隣構造領域の外径の７０％から８５％である、請求項６０に記載のボールバット。
【請求項６７】
第１構造材料、第２構造材料、及び第３構造材料の厚みが、ハンドル、バレル、及び遷移部を通じてほぼ一定である、請求項６０に記載のボールバット。
【請求項６８】
半径方向外側領域の外面が、０．５から１．５インチの長さを有している、請求項６０に記載のボールバット。
【請求項６９】
緩衝材料が、バレル及びハンドルのうちの少なくとも１つの中にまで部分的に延びている、請求項６０に記載のボールバット。
【請求項７０】
第１構造材料、第２構造材料、及び第３構造材料の全てが、同じ材料を備えている、請求項６０に記載のボールバット。
【請求項７１】
バレルと、ハンドルと、バレルをハンドルに結合する遷移部とを具備しており、それぞれ少なくとも１つの構造材料を備えているボールバットであって、
ボールバットが、バレル、ハンドル、遷移部のうちの少なくとも１つの中に集中屈曲領域を備えており、
集中屈曲領域が、少なくとも１つの構造材料の軸方向弾性率よりも低い軸方向弾性率を有する緩衝材料を有する半径方向最外側領域と、
ボールバット内の長手方向近隣構造領域の外径よりも小さい外径を有する半径方向内側構造領域と、を具備していることを特徴とする、ボールバット。
【請求項７２】
集中屈曲領域が、ボールバットの長手方向近隣領域の軸方向剛性の３０％から７０％の軸方向剛性を有している、請求項７１に記載のボールバット。
【請求項７３】
半径方向外側領域の深さが、半径方向内側構造領域の厚みの８０％から１２０％である、請求項７１に記載のボールバット。
【請求項７４】
半径方向内側構造領域の外径が、ボールバット内の長手方向近隣構造領域の外径の７０％から８５％である、請求項７１に記載のボールバット。
【請求項７５】
緩衝材料の大部分又は全体が、ボールバットの遷移部内に設置されている、請求項７１に記載のボールバット。
【請求項７６】
緩衝材料が、ボールバットのバレル及びハンドルのうちの少なくとも１つの中にまで部分的に延びている、請求項７４に記載のボールバット。